(57)【要約】      （修正有）【課題】丸太等のビームに予め溝、穴等の加工を施すことなく、ビームを支柱杭に固定できるビーム固定金具を提供する。【解決手段】第１及び第２ビーム固定板５，６と、各ビーム固定板５，６の間に配置されて固定されるネジ軸案内円板１６と、ネジ軸案内円板１６を貫通するネジ軸案内円穴と、各ビーム固定板５，６の間に配置され、一方の板バネ端２１Ｃ側を各ビーム固定板５，６に固定し、各ビーム固定板５，６の凹円弧面１１の間にビームを挿入するビーム挿入穴２６を形成する円弧状の板バネ２１と、板バネ２１の他方の板バネ端側に固定され、ネジ軸案内円穴を貫通するビーム締付ネジ軸２２と、ビーム締付ネジ軸２２に螺着されるビーム締付ナット２３と、筒外周面を第１ビーム固定板５に固定され、支柱杭に外嵌されて支柱杭に固定される杭挿入円筒部材３１を備える。【選択図】図１
0003218925.tif 000002
【実用新案登録請求の範囲】
【請求項１】
杭間隔を隔てて配置される円筒状又は円柱状の支柱杭を地中に打込んで地面に立設し、前記各支柱杭の間に円柱状又は円筒状のビームを横架した柵において、前記各支柱杭の間に横架された前記ビームを前記支柱杭に固定するビーム固定金具であって、
金属平板で形成され、第１基準直線の方向の一方の固定板端に凹円弧面を有し、前記第１基準直線と直交する前記凹円弧面の半径中心線の方向に板間隔を隔てて平行に並列される第１及び第２ビーム固定板と、
前記第１基準直線及び前記半径中心線と直交する第２基準直線の方向において、前記第１及び第２ビーム固定板の一方の固定板端側に位置して前記第１及び第２ビーム固定板の間に配置され、前記第１及び第２ビーム固定板に固定される金属製のネジ軸案内部、前記第１基準直線の方向又は前記第１基準直線に鋭角度を隔てる方向にて前記ネジ軸案内部を貫通するネジ軸案内穴を有するネジ軸案内部材と、
円弧状の金属帯平板で形成され、各板バネ端側を前記第２基準直線の方向の前記第１及び第２ビーム固定板の各板端側に位置して前記第１及び第２ビーム固定板に隙間を隔てて前記第１及び第２ビーム固定板の間に配置され、一方の板バネ端側を前記第１及び第２ビーム固定板に固定し、及び他方の板バネ端及び前記ネジ軸案内部の間に締付隙間を隔てて配置され、前記第１及び第２ビーム固定板の前記凹円弧面の間に、前記半径中心線の方向に開口して、前記ビームを挿入する略円形のビーム挿入穴を形成する板バネと、
他方の板バネ端から突出して前記板バネに固定され、前記ネジ軸案内穴を貫通して前記第１及び第２ビーム固定板の間から突出される金属製のビーム締付ネジ軸と、
前記第１及び第２ビーム固定板に隙間を隔てて前記第１及び第２ビーム固定板の間に配置され、前記第１及び第２ビーム固定板の間から突出された前記ビーム締付ネジ軸に螺着されるビーム締付ナットと、
金属で円筒状に形成され、前記第２ビーム固定板の間に前記第１ビーム固定板を位置して配置され、筒外周面を前記第１ビーム固定板に固定して配置され、及び前記支柱杭に外嵌されて前記支柱杭に固定される杭挿入円筒部材と、を備える
ことを特徴とするビーム固定金具。
【請求項２】
前記杭挿入円筒部材は、
筒中心線を前記第２基準直線の方向に向けて配置される
ことを特徴とする請求項１に記載のビーム固定金具。
【請求項３】
前記杭挿入円筒部材は、
筒中心線を前記第１基準直線の方向に向けて配置される
ことを特徴とする請求項１に記載のビーム固定金具。
【請求項４】
前記支柱杭は、
金属で円筒状に形成され、
円筒杭部と、
前記円筒杭部の一方の杭筒端に連続して一体に形成され、前記支柱杭の杭中心線の方向において、前記円筒杭部の一方の杭筒端から前記支柱杭の一方の杭端に向けて縮径しつつ延在される尖端部と、
前記円筒杭部の他方の杭筒端に連続して一体に形成され、前記支柱杭の杭中心線の方向において、前記円筒杭部の他方の杭筒端から前記支柱杭の他方の杭端に向けて縮径しつつ延在される円錐筒杭部と、を有し
前記尖端部から地中に打込まれて前記地面に立設され、
前記第１及び第２ビーム固定板は、
前記第１基準直線の方向において、前記第１基準直線と交差する前記凹円弧面の交点、及び凹円弧面側の前記杭挿入円筒部材の筒端の間に板長を有し、
前記支柱杭は、
前記支柱杭の杭中心線の方向において、前記円筒杭部の他方の杭筒端及び前記支柱杭の他方の杭端の間に杭長を有し、
前記第１及び第２ビーム固定板の板長は、
前記支柱杭の杭長より長い板長にされ、
前記杭挿入円筒部材は、
前記円錐筒杭部から前記支柱杭に外嵌されて、前記円筒杭部に固定される
ことを特徴とする請求項３に記載のビーム固定金具。
【請求項５】
金属平板で形成され、
前記第１ビーム固定板の前記凹円弧面、及び前記凹円弧面側の前記杭挿入円筒部材の筒端の間に配置され、前記第１ビーム固定板に固定される杭固定板を備え、
前記杭固定板は、
杭挿入穴を有し、
前記第１基準直線の方向において、前記凹円弧面側の前記杭挿入円筒部材の筒端に杭固定間隔を隔てて、前記杭挿入円筒部材の筒端に対向配置され、
前記杭固定板の前記杭挿入穴は、
穴直径を有する円形穴に形成され、
前記杭挿入円筒部材の筒中心線と同心に配置され、
前記第１基準直線の方向において、前記杭固定板を貫通して形成され、
前記杭挿入穴の穴直径は、
前記支柱杭の杭中心線の方向において、前記円筒杭部の他方の杭筒端から前記杭固定間隔を隔てる位置の前記円錐筒杭部の杭直径と同一の直径にされている
ことを特徴とする請求項４に記載のビーム固定金具。
【考案の詳細な説明】
【技術分野】
【０００１】
本考案は、柵の各支持杭の間に横架された丸太等のビームを支柱杭に固定するビーム固定金具に関する。
【背景技術】
【０００２】
ビームを支柱に固定した柵として、特許文献１は木製防護柵を開示する。木製防護柵は、間隔を隔てて地面に立設した複数の支柱と、各支柱の間に横架された丸太製のビームと、丸太製のビームを支柱に固定するビーム固定具を備える。防護柵において、丸太製のビームは、割溝、複数の取付穴を有する。割溝は、丸太製のビームの各端から中心線の方向に延在して形成され、２本の取付穴は、割溝に直交して丸太製のビームを貫通して形成される。ビーム固定具は、金属製のブラケット板と、複数本のボルト及び複数のナットを有する。ブラケット板は、を支柱に固定され、及び丸太製のビームの割溝内に挿入して配置される。各ボルトは、丸太製のビームの各取付穴に挿入され、ブラケット板を貫通して丸太製のビームから突出される。各ナットは、丸太製のビームから突出したボルトに螺着される。特許文献１では、各ボルト／ナットにて丸太製のビームをブラケット板に支持することで、ブラケット板を介在して、丸太製のビームを支柱に固定する。
【先行技術文献】
【特許文献】
【０００３】
【特許文献１】特開２００３−２６９４３５号公報
【考案の概要】
【考案が解決しようとする課題】
【０００４】
特許文献１は、丸太製のビームを支柱に固定するため、予め丸太製のビームに割溝、取付穴等の加工をする必要がある。
【０００５】
本考案は、丸太等のビームに予め溝や穴等の加工を施すことなく、ビームを支柱杭に固定できるビーム固定金具を提供することにある。
【課題を解決するための手段】
【０００６】
本考案に係る請求項１は、杭間隔を隔てて配置される円筒状又は円柱状の支柱杭を地中に打込んで地面に立設し、前記各支柱杭の間に円筒状又は円柱状のビームを横架した柵において、前記各支柱杭の間に横架された前記ビームを前記支柱杭に固定するビーム固定金具であって、金属平板で形成され、第１基準直線の方向の一方の固定板端に凹円弧面を有し、前記第１基準直線と直交する前記凹円弧面の半径中心線の方向に板間隔を隔てて平行に並列される第１及び第２ビーム固定板と、前記第１基準直線及び前記半径中心線と直交する第２基準直線の方向において、前記第１及び第２ビーム固定板の一方の固定板端側に位置して前記第１及び第２ビーム固定板の間に配置され、前記第１及び第２ビーム固定板に固定される金属製のネジ軸案内部、前記第１基準直線の方向又は前記第１基準直線に鋭角度を隔てる方向にて前記ネジ軸案内部を貫通するネジ軸案内穴を有するネジ軸案内部材と、円弧状の金属帯平板で形成され、各板バネ端側を前記第２基準直線の方向の前記第１及び第２ビーム固定板の各板端側に位置して前記第１及び第２ビーム固定板に隙間を隔てて前記第１及び第２ビーム固定板の間に配置され、一方の板バネ端側を前記第１及び第２ビーム固定板に固定し、及び他方の板バネ端及び前記ネジ軸案内部の間に締付隙間を隔てて配置され、前記第１及び第２ビーム固定板の前記凹円弧面の間に、前記半径中心線の方向に開口して、前記ビームを挿入する略円形のビーム挿入穴を形成する板バネと、他方のバネ板端から突出して前記板バネに固定され、前記ネジ案内穴を貫通して前記第１及び第２ビーム固定板の間から突出される金属製のビーム締付ネジ軸と、前記第１及び第２ビーム固定板に隙間を隔てて前記第１及び第２ビーム固定板の間に配置され、前記第１及び第２ビーム固定板の間から突出された前記ビーム締付ネジ軸に螺着されるビーム締付ナットと、金属で円筒状に形成され、前記第２ビーム固定板の間に前記第１ビーム固定板を位置して配置され、筒外周面を前記第１ビーム固定板に固定して配置され、及び前記支柱杭に外嵌されて前記支柱杭に固定される杭挿入円筒部材と、を備えることを特徴とするビーム固定金具である。
請求項１では、板バネは、各バネ板端の間において、穴間隔を隔てて配置される複数のバネ穴を有し、各バネ穴は、前記板バネを貫通して、板バネの板外側面及び板内側面に開口される構成も採用できる。板バネに複数のバネ穴を形成することで、板バネを容易に弾性変形して、ビームを第１及び第２ビーム固定板の凹円弧面に押付けることができる。
請求項１では、ビームは、丸太、又は丸材の木製ビームである構成も採用できる。
【０００７】
本考案に係る請求項２は、前記杭挿入円筒部材は、筒中心線を前記第２基準直線の方向に向けて配置されることを特徴とする請求項１に記載のビーム固定金具である。
【０００８】
本考案に係る請求項３は、前記杭挿入円筒部材は、筒中心線を前記第１基準直線に向けて配置されることを特徴とする請求項１に記載のビーム固定金具である。
【０００９】
本考案に係る請求項４は、前記支柱杭は、金属で円筒状に形成され、円筒杭部と、前記円筒杭部の一方の杭筒端に連続して一体に形成され、前記支柱杭の杭中心線の方向において、前記円筒杭部の一方の杭筒端から前記支柱杭の一方の杭端に向けて縮径しつつ延在される尖端部と、前記円筒杭部の他方の杭筒端に連続して一体に形成され、前記支柱杭の杭中心線の方向において、前記円筒杭部の他方の杭筒端から前記支柱杭の他方の杭端に向けて縮径しつつ延在される円錐筒杭部と、を有し、前記尖端部から地中に打込まれて前記地面に立設され、前記第１及び第２ビーム固定板は、前記第１基準直線の方向において、前記第１基準直線と交差する前記凹円弧面の交点、及び前記凹円弧面側の前記杭挿入円筒部材の筒端の間に板長を有し、前記支柱杭は、前記支柱杭の杭中心線の方向において、前記円筒杭部の他方の杭筒端及び前記支柱杭の他方の杭端の間に杭長を有し、前記第１及び第２ビーム固定板の板長は、前記支柱杭の杭長より長い板長にされ、前記杭挿入円筒部材は、前記円錐筒杭部から前記支柱杭に外嵌されて、前記円筒杭部に固定されることを特徴とする請求項３に記載のビーム固定金具である。
【００１０】
金属平板で形成され、前記第１ビーム固定板の前記凹円弧面、及び前記凹円弧面側の前記杭挿入円筒部材の筒端の間に配置され、前記第１ビーム固定板に固定される杭固定板を備え、前記杭固定板は、杭挿入穴を有し、前記第１基準直線の方向において、前記凹円弧面側の前記杭挿入円筒部材の筒端に杭固定間隔を隔てて、前記杭挿入円筒部材の筒端に対向配置され、前記杭固定板の前記杭挿入穴は、穴直径を有する円形穴に形成され、前記杭挿入円筒部材の筒中心線と同心に配置され、前記第１基準直線の方向において、前記杭固定板を貫通して形成され、前記杭挿入穴の穴直径は、前記支柱杭の杭中心線の方向において、前記円筒杭部の他方の杭筒端から前記杭固定間隔を隔てる位置の前記円錐筒杭部の杭直径と同一の直径にされていることを特徴とする請求項４に記載のビーム固定金具である。
【考案の効果】
【００１１】
本考案に係る請求項１では、杭挿入円筒部材を支柱杭に外嵌して、支柱杭に固定することで、杭挿入穴（板バネ及び凹円弧面の間）は、支柱杭の杭中心線と直交する方向において、支柱杭の杭外周面の外側に隣接して配置される。杭挿入円筒部材を支柱杭に固定すると、円筒状又は円柱状のビームを杭挿入穴に挿通（貫通）して、各支柱杭の間に横架する。
各支柱杭の間に横架されたビームは、杭挿入穴内において、板バネ及び各ビーム固定板の凹円弧面に当接されて、板バネ及び各ビーム固定板にて保持される。
ビームを保持すると、ビーム締付ナットをネジ軸案内部に向けて回転して、板バネをネジ軸案内部に向けて移動する。板バネは、ネジ軸案内部への移動によって、弾性変形して、ビームを各ビーム固定板の凹円弧面に押付ける。板バネ、各ビーム固定板の凹円弧面は、ビームを締付けて固定する。
これにより、ビームに穴、溝等を予め加工することなく、各支柱杭の間に横架されたビームを支柱杭に固定できる。
【００１２】
本考案に係る請求項２では、杭挿入円筒部材を支柱杭に外嵌して、支柱杭に固定することで、杭挿入穴（板バネ、及び各ビーム固定板の凹円弧面）を、支柱杭の杭外周面に隣接して配置できる。
【００１３】
本考案に係る請求項３では、杭挿入円筒部材を支柱杭に挿入して、支柱杭に固定することで、杭挿入穴（板バネ、及び各ビーム固定板の凹円弧面）を、支柱杭の杭端から上方に配置できる。
【００１４】
本発明に係る請求項４では、杭の他方の杭端側に円錐円筒部を有する支柱杭において、杭挿入穴（板バネ、及び各固定板の凹円弧面）を、支柱杭の他方の杭端より上方に配置でき、各支柱杭の他方の杭端の上方にビームを横架して、各支柱杭に固定できる。
【００１５】
本考案に係る請求項５では、杭挿入円筒部材を支柱杭の他方の杭端から支柱杭に外嵌して、円筒杭部に配置し、及び杭固定板の杭挿入穴を支柱杭の他方の杭端から支柱杭に外嵌することで、杭挿入穴の穴縁を円錐筒杭部の杭外周面に圧接して配置できる。
これにより、杭挿入円筒部材は、杭挿入穴の穴縁と、円錐筒杭部の杭外周面との圧接（摩擦抵抗）によって、支柱杭（円筒杭部）に対して回転することなく、支柱杭の円筒杭部に固定される。
【図面の簡単な説明】
【００１６】
【図１】第１実施形態のビーム固定金具を示す斜視図である。
【図２】第１実施形態のビーム固定金具を示す正面図である。
【図３】第１実施形態のビーム固定金具を示す裏面図である。
【図４】第１実施形態のビーム固定金具を示す左側面図である。
【図５】第１実施形態のビーム固定金具を示す右側面図である。
【図６】第１実施形態のビーム固定金具を示す上面図である。
【図７】第１実施形態のビーム固定金具を示す下面図である。
【図８】図２のＡ−Ａ断面図である。
【図９】図２のＢ−Ｂ断面図である。
【図１０】図４のＣ−Ｃ断面図である。
【図１１】第１実施形態にビーム固定金具において、金具本体（第１及び第２ビーム固定板等）、及び杭固定体を示す正面図である。
【図１２】第１実施形態のビーム固定金具において、金具本体（第１及び第２ビーム固定板等）、及び杭固定体を示す上面図である。
【図１３】第１実施形態のビーム固定金具の分解斜視図である。
【図１４】第１実施形態のビーム固定金具を適用（使用）した土留柵を示す正面図である。
【図１５】図１４の一部拡大図である。
【図１６】図１４のＤ−Ｄ断面拡大図である。
【図１７】図１５の一部拡大図である。
【図１８】図１６の一部拡大図である。
【図１９】土留柵の支柱杭を示す正面図である。
【図２０】第２実施形態のビーム固定金具を示す斜視図である。
【図２１】第２実施形態のビーム固定金具を示す正面図である。
【図２２】第２実施形態のビーム固定金具を示す裏面図である。
【図２３】第２実施形態のビーム固定金具を示す左側図である。
【図２４】第２実施形態のビーム固定金具を示す右側面図である。
【図２５】第２実施形態のビーム固定金具を示す上面図である。
【図２６】第２実施形態のビーム固定金具を示す下面図である。
【図２７】図２１のＥ−Ｅ断面図である。
【図２８】図２１のＦ−Ｆ断面図である。
【図２９】図２５のＧ−Ｇ断面図である。
【図３０】第２実施形態のビーム固定金具において、金具本体（第１及び第２ビーム固定板等）、及び杭固定体を示す正面図である。
【図３１】第２実施形態のビーム固定金具において、金具本体（第１及び第２ビーム固定板等）、及び杭固定体を示す上面図である。
【図３２】第２実施形態のビーム固定金具の分解斜視図である。
【図３３】第２実施形態のビーム固定金具を適用（使用）した土留柵を示す正面図である。
【図３４】図３３の一部拡大図である。
【図３５】図３３のＨ−Ｈ断面拡大図である。
【図３６】図３４の一部拡大図である。
【図３７】図３５の一部拡大図である。
【図３８】図３６の一部拡大断面図である。
【考案を実施するための形態】
【００１７】
本考案に係る第１及び第２実施形態のビーム固定金具について、図１乃至図３８を参照して説明する。
【００１８】
以下、第１実施形態のビーム固定金具について、図１乃至図１９を参照して説明する。
【００１９】
＜第１実施形態＞
第１実施形態のビーム固定金具Ｘ（丸太固定金具）は、図１４乃至図１８に示すように、土留柵Ｚを含む柵において、各支柱杭８０の間に横架されたビーム８５を支柱杭８０に固定する。
【００２０】
第１実施形態のビーム固定金具Ｘ（以下、「ビーム固定金具Ｘ」という）は、図１乃至図１３に示すように、金具本体１、板バネ体２（板バネ手段）、及び杭固定体３（杭固定手段）を備える。
【００２１】
金具本体１は、図１乃至図１３に示すように、第１及び第２ビーム固定板５，６、板連結部材７、ネジ軸案内部材８、板バネ固定部材９及び板バネ固定ボルトネジ１０を備える。
【００２２】
第１及び第２ビーム固定板５，６は、金属平板で形成される。第１及び第２ビーム固定板５，６は、例えば、鉄平板（鉄板）、鋼平板（鋼板）で形成される。
第１及び第２ビーム固定板５，６は、図１乃至図４、図８乃至図１１及び図１３に示すように、凹円弧面１１（凹形円弧面／凹んだ円弧面）、管連結穴１２、第１板固定穴１３、及び第２板固定穴１４を有する。
第１及び第２ビーム固定板５，６は、同一形状の凹円弧面１１を有する。
【００２３】
凹円弧面１１（凹円弧端面）は、図１乃至図３、及び図１１に示すように、第１及び第２ビーム固定板５，６に形成される。
凹円弧面１１は、第１基準直線Ｌ１の方向（上下方向）の第１及び第２ビーム固定板５，６の一方の固定板端５Ａ，６Ａ（固定板端面）に形成される。凹円弧面１１は、第１凹円弧面部１１Ａ（大凹円弧面部）、及び第２凹円弧面部１１Ｂ（小凹円弧面部）で構成される。第１凹円弧面部１１Ａは、第１基準直線Ｌ１に位置する半径中心線Ｌ２（半径中心）を中心として、半径Ｒ１の円弧状に形成される。第２凹円弧面部１１Ｂは、第１凹円弧面部１１Ａに連続して形成される。第２凹円弧面部１１Ｂは、第１凹円弧面部１１Ａの半径中心線Ｌ２と第１及び第２ビーム固定板５，６の一方の固定板端５Ａ，６Ａ（固定板上端）の間において、第１基準直線Ｌ１に位置する半径中心（半径中心線）を中心として、半径Ｒ２の円弧状に形成される。第１及び第２凹円弧面部１１Ａ，１１Ｂの半径中心線は、第１基準直線Ｌ１と直交する。
凹円弧面１１において、第１凹円弧面部１１Ａの半径Ｒ１は、円柱状又は円筒状のビーム８５と同一半径（ＤＭ／２）、又は僅かに大きい半径である。第２凹円弧面部１１Ｂの半径Ｒ２は、半径Ｒ１より小さい半径である（半径Ｒ２＜半径Ｒ１）である。
【００２４】
管連結穴１２は、図１乃至図３、図９、図１１及び図１２に示すように、第１及び第２ビーム固定板５，６に形成される。管連結穴１２は、第１及び第２ビーム固定板５，６の同一位置に形成される。
管連結穴１２は、矩形状の穴（長方形穴）に形成される。管連結穴１２は、第１基準直線Ｌ１の方向（上下方向）において、凹円弧面１１と第１及び第２ビーム固定板５，６の他方の固定板端５Ｂ，６Ｂ（固定板下端）の間に配置される。管連結穴１２は、第１基準直線Ｌ１の方向（上下方向）に穴幅、第１基準直線Ｌ１及び半径中心線Ｌ２と直交する第２基準直線Ｌ３の方向（左右方向）に穴長を有して形成される。
管連結穴１２は、半径中心線Ｌ２の方向（前後方向）において、第１及び第２ビーム固定板５，６を貫通して、一方の板表平面５Ｅ，６Ｅ及び他方の板裏平面５Ｆ，６Ｆに開口される。
【００２５】
第１板固定穴１３は、図２、図３、及び図１０乃至図１２に示すように、第１及び第２ビーム固定板５，６に形成される。第１板固定穴１３は、第１及び第２ビーム固定板の同一位置に形成される。
第１板固定穴１３は、矩形状の穴（長方形穴）に形成される。第１板固定穴１３は、第１基準直線Ｌ１の方向（上下方向）において、凹円弧面１１と第１及び第２ビーム固定板５，６の他方の固定板端５Ｂ，６Ｂ（固定板下端）の間に配置される。第１板固定穴１３は、第２基準直線Ｌ３の方向（左右方向）において、第１及び第２ビーム固定板５，６の一方の固定板端５Ｃ，６Ｃ（固定板右端）と管連結穴１２の間に配置される。第１板固定穴１３は、第１基準直線Ｌ１の方向（上下方向）に穴幅、第２基準直線Ｌ３の方向（左右方向）に穴長を有して形成される。
第１板固定穴１３は、半径中心線Ｌ２の方向（前後方向）において、第１及び第２ビーム固定板５，６を貫通して、一方の板表平面５Ｅ，６Ｅ及び他方の板裏平面５Ｆ，６Ｆに開口される。
【００２６】
第２板固定穴１４は、図１乃至図３、及び図１０乃至図１２に示すように、第１及び第２ビーム固定板５，６に形成される。第２板固定穴１４は、第１及び第２ビーム固定板５，６の同一位置に形成される。
第２板固定穴１４は、第１基準直線Ｌ１の方向（上下方向）において、凹円弧面１１と第１及び第２ビーム固定板５，６の他方の固定板端５Ｂ，６Ｂ（固定板下端）の間に配置される。第２板固定穴１４は、第２基準直線Ｌ３の方向（左右方向）において、第１及び第２ビーム固定板５，６の他方の固定板端５Ｄ，６Ｄ（固定板左端）と管連結穴１２の間に配置される。
第２板固定穴１４は、第１基準直線Ｌ１に鋭角度θ１（０°＜θ１＜９０°）を有する穴直線Ｌ４の方向に穴長、及び穴直線Ｌ４と直交する方向に穴幅を有して形成される。
第２板固定穴１４は、半径中心線Ｌ２の方向（前後方向）において、第１及び第２ビーム固定板５，６を貫通して、一方の板表平面５Ｅ，６Ｅ及び他方の板裏平面５Ｆ，６Ｆに開口される。
【００２７】
第１及び第２ビーム固定板５，６は、図１乃至図９、及び図１１乃至図１３に示すように、第１基準直線Ｌ１と直交する半径中心線Ｌ２の方向（前後方向）に板間隔Ｔを隔てて平行に並列される。
第１及び第２ビーム固定板５，６は、図４乃至図９、及び図１３に示すように、他方の板裏平面５Ｆ及び一方の板表平面６Ｅを対峙（対向）し、各板平面５Ｆ，６Ｅの間に板間隔Ｔを隔てて平行に並列される。
第１及び第２ビーム固定板５，６は、凹円弧面１１（第１及び第２凹円弧面部１１Ａ，１１Ｂ）を第１基準直線Ｌ１の同一方向（上方向）に向けて配置される。
第１及び第２ビーム固定板５，６は、図１及び図２に示すように、第１基準直線Ｌ１と交差する凹円弧面１１（第２凹円弧面部１１Ｂ）の各交点ｑ１，ｑ２を同一位置に配置して並列される。第１及び第２ビーム固定板５，６は、第１基準直線Ｌ１の方向（上下方向）において、各交点ｑ１，ｑ２を同一位置に配置して、半径中心線Ｌ２の方向に並列される。
第１及び第２ビーム固定板５，６は、相互の管連結穴１２を対峙（対向）し、相互の第１板固定穴１３を対峙（対向）し、及び相互の第２板固定穴１４を対峙（対向）して並列される。
【００２８】
板連結部材７は、金属円管で形成される。板連結部材７は、例えば、鉄円管（鉄管）、鋼円管（鋼管）で形成される。
板連結部材７は、図１乃至図５、図７乃至図９、図１１及び図１２に示すように、第１及び第２ビーム固定板５，６の間（板間隔Ｔ）の間に配置される。板連結部材７は、第１基準直線Ｌ１及び半径中心線Ｌ２と直交する第２基準直線Ｌ３の方向において、管中心線を第２基準直線Ｌ３の方向（左右方向）に向けて配置される。
板連結部材７は、管外周面から第１及び第２ビーム固定板５，６の管連結穴１２内に挿入し、及び管外周面を管連結穴１２の穴縁に当接して、第１及び第２ビーム固定板５，６に溶接にて固定される。
これにより、板連結部材７は、第１及び第２ビーム固定板５，６を連結する。
【００２９】
ネジ軸案内部材８は、金属円板で形成される。ネジ軸案内部材８は、例えば、鉄円板、鋼円板で形成される。
ネジ軸案内部材８は、図１乃至図３、図５乃至図８、及び図１０乃至図１３に示すように、ネジ軸案内円板１６（ネジ軸案内部）、及びネジ軸案内円穴１７（ネジ軸案内穴）を有する。
ネジ軸案内円穴１７は、ネジ軸案内円板１６と同心に配置される。ネジ軸案内円穴１７は、ネジ軸案内円板１６の板中心線の方向において、ネジ軸案内円板１６を貫通して形成される。
【００３０】
ネジ軸案内円板１６（ネジ軸案内部）は、図１乃至図３、及び図１０乃至図１１に示すように、第２基準直線Ｌ３の方向（左右方向）において、第１及び第２ビーム固定板５，６の一方の固定板端５Ｃ，６Ｃ側（固定板右端側）に配置される。ネジ軸案内円板１６は、第２基準直線Ｌ３の方向において、第１及び第２ビーム固定板５，６の一方の固定板端５Ｃ，６Ｃと板連結部材７の間に位置して配置される。
ネジ軸案内円板１６は、板中心線Ｌ５を第１基準直線Ｌ１の方向に向けて（板中心線Ｌ５を第１基準直線Ｌ１と平行に配置して）、第１及び第２ビーム固定板５，６の間（板間隔Ｔ）に配置される。
ネジ軸案内円板１６（ネジ軸案内部）は、図５及び図１０に示すように、板表平面１６Ｅ及び板裏平面１６Ｆを第１基準直線Ｌ１と直交して（各板平面１６Ｅ，１６Ｆを第２基準直線Ｌ２に平行して）、第１及び第２ビーム固定板５，６の間に配置される。ネジ軸案内円板１６は、図５及び図１０に示すように、一方の板裏平面１６Ｆを、第１基準直線Ｌ１の方向の第１及び第２ビーム固定板５，６の他方の固定板端５Ｂ，６Ｂに面一に配置して、第１及び第２ビーム固定板５，６の間に配置される。
【００３１】
ネジ軸案内円板１６は、第１及び第２ビーム固定板５，６の間（板間隔Ｔ）から、板外周面を第１及び第２ビーム固定板５，６の第１板固定穴１３内に挿入し、及び第１板固定穴１３の穴縁に当接して、第１及び第２ビーム固定板５，６に溶接にて固定される。
これにより、ネジ軸案内部材８（ネジ軸案内円板１６）は、第１及び第２ビーム固定板５，６の間（板間隔Ｔ）において、ネジ軸案内円穴１７の穴中心線Ｌ５を第１基準直線Ｌ３の方向（上下方向）に向けて配置される（穴中心線Ｌ５を第１基準直線Ｌ３と平行に配置される）。ネジ軸案内円穴１７は、第１基準直線Ｌ１の方向（上下方向）にてネジ軸案内円板１６（ネジ軸案内部）を貫通する。
【００３２】
板バネ固定部材９は、金属円板に形成される。板バネ固定部材９は、例えば、鉄円板、鋼円板で構成される。
板バネ固定部材９は、図１乃至図４、図７、及び図９乃至図１３に示すように、板バネ固定円板１８（板バネ固定部）、及び固定ネジ円穴１９を有する。
固定ネジ円穴１９は、板バネ固定円板１８の板中心線の方向において、板バネ固定円板１８を貫通して形成される。
【００３３】
板バネ固定円板１８（板バネ固定部）は、図１乃至図３、及び図１０乃至図１２に示すように、第２基準直線Ｌ３の方向において、第１及び第２ビーム固定板の他方の固定板端５Ｄ，６Ｄ側（固定板左端側）に配置される。板バネ固定円板１８は、第２基準直線Ｌ３の方向において、第１及び第２ビーム固定板５，６の他方の固定板端５Ｄ，６Ｄと板連結部材７の間に位置して配置される。
板バネ固定円板１８は、板表平面１８Ｅ及び板裏平面１８Ｆを穴直線Ｌ４に平行して、第１及び第２ビーム固定板５，６の間（板間隔Ｔ）に配置される。
板バネ固定円板１８は、第１及び第２ビーム固定板５，６の間（板間隔Ｔ）から、板外周面を第１及び第２ビーム固定板５，６の第２板固定穴１４内に挿入し、及び第２板固定穴１４の穴縁に当接して、第１及び第２ビーム固定板５，６に溶接にて固定される。
これにより、板バネ固定部材９（板バネ固定円板１８）は、第１及び第２ビーム固定板５，６の間（板間隔Ｔ）において、固定ネジ円穴１９の穴中心線Ｌ６を第２基準直線Ｌ３に鋭角度θ２（０°＜θ２＜９０°）を隔てて配置される。固定ネジ円穴１９は、第２基準直線Ｌ３に鋭角度θ２を隔てる方向にて板バネ固定円板１８（板バネ固定部）を貫通する。
【００３４】
板バネ固定ボルトネジ１０は、図１乃至図４、図７、図９及び図１０に示すように、第１及び第２ビーム固定板５，６の間（板間隔Ｔ）に配置される。板バネ固定ボルトネジ１０は、第２基準直線Ｌ３の方向において、第１及び第２ビーム固定板５，６の他方の固定板端５Ｄ，６Ｄから、ボルトネジ軸１０Ａを板バネ固定円板１８の固定ネジ円穴１９に螺着して配置される。
【００３５】
板バネ体２は、図１乃至図１０、及び図１３示すように、板バネ２１、ビーム締付ネジ軸２２、及び複数（２つ）のビーム締付ナット２３を備える。
【００３６】
板バネ２１は、金属帯平板で円弧状に形成される。板バネ２１は、例えば、鉄帯平板（鉄板）、鋼帯平板（鋼板）で円弧状に形成される。
板バネ２１は、板幅ＨＳを有する。板バネ２１の板幅ＨＳは、第１及び第２ビーム固定板５，６の間の板間隔Ｔより狭い板幅である。
板バネ２１は、図２に示すように、板半径中心線Ｌ７（板半径中心）を中心として、半径Ｒ３の円弧状に形成される。板バネ２１の半径Ｒ３は、円筒状又は円柱状のビーム８５の半径と同一半径、又は僅かに大きい半径である。
【００３７】
板バネ２１は、複数のバネ円穴２４、及びボルト円穴２５を有する。各バネ円穴２４は、板バネ２１の板幅中心線Ｌ８の方向（板長手方向）に等穴間隔を隔てて配置される。各バネ円穴２４は、板幅中心線Ｌ８と直交する方向（板厚方向）において、板バネ２１を貫通して、板外側面２１Ａ及び板内側面２１Ｂに開口される。
ボルト円穴２５は、板幅中心線Ｌ８の方向（板長手方向）の一方の板バネ端２１Ｃ側に配置される。ボルト円穴２５は、板幅中心線Ｌ８と直交する方向（板厚方向）において、板バネ２１を貫通して形成される。
【００３８】
ビーム締付ネジ軸２２は、図５、図７、図８、図１０及び図１３に示すように、板バネ２１の板幅中心線Ｌ８の方向において、板バネ２１の他方の板バネ端２１Ｄ側に配置される。
ビーム締付ネジ軸２２は、ネジ軸中心線Ｌ９を板幅中心線Ｌ８に位置（一致）して、板バネ２１の板内側面２１Ｂに当接される。ビーム締付ネジ軸２２は、板バネ２１の他方の板バネ端２１Ｄ側において、板内側面２１Ｂに固定される。
ビーム締付ネジ軸２２は、板バネ２１の板幅中心線Ｌ８の方向において、他方の板バネ端２１Ｄから突出して延在される。  
【００３９】
板バネ２１は、図１乃至図３、図６、及び図８乃至図１０に示すように、板内側面２１Ｂを第１及び第２ビーム固定板５，６の凹円弧面１１（第１凹円弧面部１１Ａ）に連続して配置され、第１及び第２ビーム固定板５，６の凹円弧面１１の間に、半径中心線Ｌ２の方向に開口して、ビーム８５を挿入する略円形のビーム挿入穴２６を形成する。
【００４０】
板バネ２１は、半径中心線Ｌ２の方向において、第１及び第２ビーム固定板５，６（板裏平面５Ｆ、板表平面６Ｅ）に隙間を隔てて、第１及び第２ビーム固定板５，６の間（板間隔Ｔ）に配置される。
【００４１】
板バネ２１は、第２基準直線Ｌ３の方向において、一方の板バネ端２１Ｃ側を、第１及び第２ビーム固定板５，６の他方の固定板端５Ｄ，６Ｄ側に位置して配置される、板バネ２１は、一方の板バネ端２１Ｃ側を、第１及び第２ビーム固定板５，６の他方の固定板端５Ｄ，６Ｄ及び板バネ固定部材９（板バネ固定円板１８）の間に位置して、第１及び第２ビーム固定板５，６の間（板間隔Ｔ）に配置される。
板バネ２１において、一方の板バネ端２１Ｃ側は、図１０に示すように、ボルト円穴２５を板バネ固定円板１８の固定ネジ円穴１９に対峙（対向）して、第１及び第２ビーム固定板５，６の間に配置される。
一方の板バネ端２１Ｃ側は、板バネ固定ボルトネジ１０にて金具本体１に固定される。板バネ固定ボルトネジ１０は、ボルトネジ軸１０Ａを板バネ２１のボルト円穴２５に貫通（挿通）し、板バネ固定部材９（板バネ固定円板１８）の固定ネジ円穴１９に螺着して配置される。板バネ固定ボルトネジ１０は、ボルト頭部１０Ｂを板バネ２１の板外側面２１Ａに当接して配置される。
板バネ２１において、一方の板バネ端２１Ｃ側は、板バネ固定ボルトネジ１０を回転し、板バネ固定部材９（板バネ固定円板１８）の固定ネジ円穴１９に螺入することで、板内側面２１Ｂを板バネ固定円板１８の板裏平面１８Ｆに当接して、板バネ固定円板１８に固定される。
これにより、板バネ２１は、板バネ固定円板１８（板バネ固定部材９）を介在して第１及び第２ビーム固定板５，６に固定される。
【００４２】
板バネ２１は、第２基準直線Ｌ３の方向において、他方の板バネ端２１Ｄ側を、第１及び第２ビーム固定板５，６の一方の固定板端５Ｃ，６Ｃ側に位置して、第１及び第２ビーム固定板５，６の間（板間隔Ｔ）に配置される。他方の板バネ端２１Ｄは、図１０に示すように、第１基準直線Ｌ１の方向において、ネジ軸案内円板１６（ネジ軸案内部）に締付間隔δ１を隔てて、ネジ軸案内円板１６（ネジ軸案内部材８）の上方に配置される。
これにより、板バネ２１は、他方の板バネ端２１Ｄ及びネジ軸案内円板１６の間に締付隙間δ１を隔てて配置される。
【００４３】
ビーム締付ネジ軸２２は、金属製のネジ軸であって、例えば、鉄、鋼で形成される。ビーム締付ネジ軸２２は、図１乃至図５、図７、図８及び図１０に示すように、第２基準直線Ｌ３の方向において、第１及び第２ビーム固定板５，６の一方の固定板端５Ｃ，６Ｃ側に配置される。ビーム締付ネジ軸２２は、第１及び第２ビーム固定板５，６の間（板間隔Ｔ）に配置される。
ビーム締付ネジ軸２２は、第１及び第２ビーム固定板５，６の間（板間隔Ｔ）から、ネジ軸案内円板１６（ネジ軸案内部）のネジ軸案内円穴１７を貫通（挿通）して、第１及び第２ビーム固定板５，６の間から突出される。
これにより、板バネ体２において、板バネ２１は、図１乃至図３、及び図１０に示すように、第１及び第２ビーム固定板５，６の凹円弧面１１（第１及び第２凹円弧面部１１Ａ，１１Ｂ）の間に、半径中心線Ｌ２の方向に開口して、ビーム８５を挿入する略円形のビーム挿入穴２６を形成する。
【００４４】
各ビーム締付ナット２３は、図１乃至図５、図７、図８及び図１０に示すように、第１及び第２ビーム固定板５，６（板裏平面５Ｆ、板表平面６Ｅ）に隙間を隔てて、第１及び第２ビーム固定板５，６の間（板間隔Ｔ）に配置される。各ビーム締付ナット２３は、第１及び第２ビーム固定板５，６の外側に配置される。
各ビーム締付ナット２３は、第１及び第２ビーム固定板５，６の間から突出されたビーム締付ネジ軸２２に螺着される。ネジ軸案内部材８側に位置するビーム締付ナット２３は、ネジ軸案内円板１６（板裏平面１６Ｆ）に当接して配置される。
【００４５】
杭固定体３は、図１乃至図１３に示すように、杭挿入円筒部材３１、スリット穴３２、第１及び第２杭固定突起部３３，３４、杭締付円穴３５（杭締付穴）、杭締付ネジ円穴３６（杭締付ネジ穴）、及び杭締付ボルトネジ３７を備える。
【００４６】
杭挿入円筒部材３１は、金属で円筒状に形成される。杭挿入円筒部材３１は、例えば、鉄円筒（鉄円管）、鋼円筒（鋼円管）で形成される。
杭挿入円筒部材３１は、図４乃至図９、及び図１３に示すように、半径中心線Ｌ２の方向（前後方向）において、第２ビーム固定板６の間に第１ビーム固定板５を位置して配置される。杭挿入円筒部材３１は、図１、図４乃至図９及び図１３に示すように、筒中心線Ｌ１０を第２基準直線Ｌ３の方向（左右方向）に向けて配置される（筒中心線Ｌ１０を第２基準直線Ｌ３に平行にして配置される）。
杭挿入円筒部材３１は、筒外周面３１Ｃを管連結穴１２内の板連結部材７の筒外周面に当接して、筒外周面３１Ｃを第１ビーム固定板５（板表平面５Ｅ）に溶接して固定される。
杭挿入円筒部材３１の筒内直径ｄ１は、支柱杭８０の外筒直径ＤＫと同一直径、又は僅かに大きい直径である。
【００４７】
スリット穴３２は、図１、図２、図４、図５．図８、図９、図１１及び図１３に示すように、杭挿入円筒部材３１に形成される。スリット穴３２は、杭挿入円筒部材３１の周方向において、杭挿入円筒部材３１の筒外周面３１Ｃを板連結部材７に当接した部分から角度：１８０°の間隔を隔てて配置される。
スリット穴３２は、杭挿入円筒部材３１の周方向に穴幅ＨＯを有する。スリット穴３２は、筒中心線Ｌ１０と直交する方向において、杭挿入円筒部材３１を貫通して、杭挿入円筒部材３１の筒外周面３１Ｃ及び筒内周面３１Ｄに開口される。スリット穴３２は、杭挿入円筒部材３１の筒中心線Ｌ１０の方向（第２基準直線Ｌ２の方向）に延在して、杭挿入円筒部材３１の各筒端３１Ａ，３１Ｂに開口される。
【００４８】
第１及び第２杭固定突起部３３，３４は、金属平板で形成される。第１及び第２杭固定突起部３３，３４は、例えば、鉄平板（鉄板）、鋼平板（鋼板）で形成される。
【００４９】
第１及び第２杭固定突起部３３，３４は、図１、図２、図５、図８、図９及び図１１乃至図１３に示すように、スリット穴３２を間に配置して対峙（対向）される。
第１及び第２杭固定突起部３３，３４は、杭挿入円筒部材３１の筒外周面３１Ｃに固定される。第１及び第２杭固定突起部３３，３４は、杭挿入円筒部材３１の円筒中心線Ｌ１０と直交する方向（半径中心線Ｌ２の方向）において、杭挿入円筒部材３１の筒外周面３１Ｃから突出して配置される。
【００５０】
杭締付円穴３５は、図４、図５、図８及び図９に示すように、第１杭固定突起部３３に形成される。杭締付円穴３５は、杭挿入円筒部材３１の筒中心線Ｌ１０の方向において、第１杭固定突起部３３を貫通してスリット穴３２に連通される。
【００５１】
杭締付ネジ円穴３６は、図４乃至図６、図８、図９及び図１２に示すように、第２杭固定突起部３４に形成される。杭締付ネジ円穴３６は、杭締付円穴３５と同心に配置される。杭締付ネジ円穴３６は、杭挿入円筒部材３１の筒中心線Ｌ１０の方向において、第２杭固定突起部３４を貫通してスリット穴３２に連通される。
【００５２】
杭締付ボルトネジ３７は、図４乃至図６、図８及び図９に示すように、第１杭固定突起部３３の杭締付円穴３５に挿入されて、第２杭固定突起部３４の杭締付ネジ円穴３６に螺着される。
杭締付ボルトネジ３７は、第１杭固定突起部３３から、ボルトネジ軸３７Ａを第１杭固定突起部３３の杭締付円穴３５に挿入し、スリット穴３２を通して第２杭固定突起部３４の杭締付ネジ円穴３６に螺着して配置される。杭締付ボルトネジ３７は、ボルト頭部３７Ｂを第１杭固定突起部３３に当接して配置される。
【００５３】
図１４乃至図１８において、ビーム固定金具Ｘは、例えば、土留柵Ｚに使用（適用）される。
【００５４】
土留柵Ｚは、山や崖の斜面ＮＸ（法面）に設置される。土留柵Ｚは、図１４乃至図１８に示すように、複数本の支柱杭８０、複数のビーム固定金具Ｘ、及び複数本のビーム８５で構成される。
【００５５】
支柱杭８０は、金属（鉄、鋼等）又は樹脂で円筒状又は円柱状形成された杭、木製の丸材の杭を使用できる。
各支柱杭８０は、図１９に示すように、例えば、金属（鉄、鋼等）にて円筒状に形成され、円筒杭部８１、円錐筒状の尖端部８２、円錐筒杭部８３、及び杭頭部８４を有する。
【００５６】
円筒杭部８１は、金属にて円筒状に形成される。円筒杭部８１は、例えば、鉄や鋼にて円筒状（円管状）に形成される。円筒杭部８１は、図１９に示すように、外筒直径：ＤＫを有する。
【００５７】
尖端部８２は、金属にて円錐筒状に形成される。尖端部８２は、例えば、鉄や鋼にて円錐筒状（円錐管状）に形成される。
尖端部８２は、図１９に示すように、支柱杭８０（円筒杭部８１）の杭筒中心線ＬＫ（杭中心線）の方向において、円筒杭部８１の一方の杭筒端８１Ａに連続して一体に形成される。尖端部８２は、杭筒中心線ＬＫ（杭中心線）の方向において、円筒杭部８１の一方の杭筒端８１Ａから支柱杭８０の一方の杭端８０Ａに向けて縮径しつつ延在される。
【００５８】
円錐筒杭部８３は、金属にて円錐筒状に形成される。円錐筒杭部８３は、例えば、鉄や鋼にて円錐筒状（円錐管状）に形成される。
円錐筒杭部８３は、図１９に示すように、杭筒中心線ＬＫの方向において、円筒杭部８１の他方の杭筒端８１Ｂに連続して一体に形成される。円錐筒杭部８３は、杭筒中心線ＬＫ（杭中心線）の方向において、円筒杭部８１の他方の杭筒端８１Ｂから支柱杭８０の他方の杭端８０Ｂ（杭頭部８４）に向けて縮径しつつ延在される。
【００５９】
杭頭部８４は、例えば、硬質樹脂にて円板状に形成される。杭頭部８４は、図１９に示すように、円錐筒杭部８３の杭円錐端８３Ａに固定されて配置され、支柱杭８０の他方の杭端８０Ｂを構成する。
【００６０】
各支柱杭８０は、図１９に示すように、杭筒中心線ＬＫ（杭中心線）の方向において、円筒杭部８１の他方の杭筒端８１Ｂ及び支柱杭８０の他方の杭端８０Ｂの間に杭長ＬＮ（杭長さ）を有する。杭長ＬＮは、杭筒中心線ＬＫ（杭中心線）の方向において、杭頭部８４の長さＬＴ及び円錐筒杭部８３の長さＬＣを加算した長さである（杭長ＬＮ＝ＬＴ＋ＬＣ）。
【００６１】
各支柱杭８０は、図１４乃至図１６に示すように、支柱間隔ＴＫを隔てて配置される。各支柱杭８０は、尖端部８２から斜面の地中に打込まれて、斜面（地面）に立設される。各支柱杭８０は、例えば、尖端部８２及び円筒杭部８１の一部を地中に打込んで、他方の杭端８０Ｂを面一にして配置される。
【００６２】
各ビーム固定金具Ｘは、図１４乃至図１６に示すように、各支柱杭８０に同数、例えば、４個配置される。
各ビーム固定金具Ｘは、図１７及び図１８に示すように、各支柱杭８０の他方の杭端８０Ｂから杭挿入円筒部材３１を支柱杭８０に外嵌して、円筒杭部８１に配置される。
各支柱杭８０において、各ビーム固定金具Ｘは、杭筒中心線ＬＫ（杭中心線）の方向に並列して配置される。
各支柱杭８０において、各ビーム固定金具Ｘの杭挿入円筒部材３１は、他方の筒端３１Ｂから支柱杭８０に外嵌され、杭挿入円筒部材３１の筒内周面３１Ｄを円筒杭部８１（支柱杭８０）の杭外周面８１Ｃに当接して配置される。
各支柱杭８０において、各ビーム固定金具Ｘは、図１７に示すように、第２基準直線Ｌ３の方向において、第１ビーム固定板５の一方の固定板端５Ｃ及び他方の固定板端５Ｄを当接し、第２ビーム固定板６の一方の固定板端６Ｃ及び他方の固定板端６Ｄを当接して、第１段〜第４段に配置される。
各支柱杭８０において、各ビーム固定金具Ｘは、ビーム挿入穴２６（板バネ２１）を斜面ＮＸ（法面）側に向け、及び半径中心線Ｌ２を平行にして並列される。
これにより、各支柱杭８０において、各ビーム固定金具Ｘは、第１段〜第４段の複数段に配置される。
各ビーム固定金具Ｘにおいて、ビーム挿入穴２６は、各支柱杭８０の杭外周面（円筒杭部８１の杭外周面８１Ｃ）に隣接して配置されて、丸太ビーム８５を横架する方向に向けられる。
各ビーム固定金具Ｘにおいて、ビーム締付ネジ軸２２、各ビーム締付ナット２３、及び杭締付ボルトネジ３７のボルト頭部３７Ｂは、図１５乃至図１８に示すように、斜面ＮＸ（法面）と反対側に配置される。
【００６３】
各支柱杭８０において、各ビーム固定金具Ｘは、杭締付ボルトネジ３７を第１及び第２杭固定突起部３３，３４に向けて回転して、杭挿入円筒部材３１を各支柱杭８０の円筒杭部８１に締付けることで、各支柱杭８０（円筒杭部８１）に固定される。
これにより、各ビーム固定金具Ｘにおいて、杭挿入円筒部材３１は、支柱杭８０（円筒杭部８１）に固定される。
【００６４】
各ビーム８５は、丸材の木製ビーム、樹脂又は金属にて円柱状又は円筒状に形成される。各ビーム８５は、例えば、丸太で構成される（以下、「丸太ビーム８５」という）。
丸太ビーム８５（ビーム）は、外周直径：ＤＭである。
【００６５】
丸太ビーム８５は、図１４及び図１５に示すように、各支柱杭８０の間に横架される。各丸太ビーム８５は、各段のビーム固定金具Ｘに対応して、各支柱杭８０の間に横架される。
各丸太ビーム８５は、各支柱杭８０の各段のビーム固定金具Ｘのビーム挿入穴２６（凹円弧面１１及び板バネ２１の間）に挿通（貫通）されて、各段のビーム固定金具Ｘに支持される。
各丸太ビーム８５の外周面８５Ａは、図１８に示すように、板バネ２１の板内側面２１Ｂ、第１及び第２ビーム固定板５，６の凹円弧面１１（第１凹円弧面部１１Ａ）に当接される。
【００６６】
各ビーム固定金具Ｘは、ビーム挿入穴２６に丸太ビーム８５を挿通（貫通）すると、各ビーム締付ナット２３をネジ軸案内円板（ネジ軸案内部）に回転することで、板バネ２１をネジ軸案内円板１６に向けて移動する。
板バネ２１は、ネジ軸案内円板１６（ネジ軸案内部）への移動によって、弾性変形して、丸太ビーム８５を第１及び第２ビーム固定板５，６の凹円弧面１１（第１及び第２凹円弧面部１１Ａ，１１Ｂ）に押付ける。
板バネ２１、第１及び第２ビーム固定板５，６の凹円弧面１１（第１及び第２凹円弧面部１１Ａ，１１Ｂ）は、丸太ビーム８５を締付けて固定する。
これにより、各段のビーム固定金具Ｘは、各支柱杭８０の間に横架された各段の丸太ビーム８５を各支柱杭８０（円筒杭部８１）に固定する。
【００６７】
＜第２実施形態＞
以下、第２実施形態のビーム固定金具について、図２０乃至図３８を参照して説明する。
なお、図２０乃至図３８において、図１乃至図１９と同一符号は、同一部材、同一構成であるので、その詳細な説明は省略する。
【００６８】
第２実施形態のビーム固定金具Ｙ（丸太固定金具）は、図３３乃至図３８に示すように、土留柵Ｚ１を含む柵において、各支柱杭８０の間に横架されたビーム８５を支柱杭８０に固定する。
【００６９】
第２実施形態のビーム固定金具Ｙ（以下、「ビーム固定金具Ｙ」という）は、図２０乃至図３２に示すように、金具本体５１、板バネ体５２（板バネ手段）、杭固定体３、及び杭固定板５３を備える。
【００７０】
金具本体５１は、図２０乃至図３２に示すように、第１及び第２ビーム固定板５５，５６、板連結部材７、ネジ軸案内部材８、板バネ固定部材９及び板バネ固定ボルトネジ１０を備える。
【００７１】
第１及び第２ビーム固定板５５，５６は、図２０乃至図３２に示すように、第１基準直線Ｌ１の方向（上下方向）において、一方の固定板端５５Ａ，５６Ａ側の基礎平板部５７、及び他方の固定板端５５Ｂ，５６Ｂ側の長尺平板部５８を有する。
長尺平板部５８は、第１基準直線Ｌ１の方向において、基礎平板部５７の他方の板部端５７Ｂに連続して一体に形成される。
長尺平板部５８は、基礎平板部５７により狭い板幅に形成される。長尺平板部５８は、基礎平板部５７の他方の板部端５７Ｂから狭幅にされて、第１基準直線Ｌ１の方向に延在される。
第１基準直線Ｌ１の方向（上下方向）において、基礎平板部５７の一方の板部端５７Ａは、第１及び第２ビーム固定板５５，５６の一方の固定板端５５Ａ，５６Ａとなる。
第１基準直線Ｌ１の方向（上下方向）において、長尺平板部５８の板部端５８Ｂは、第１及び第２ビーム固定板５５，５６の他方の固定板端５５Ｂ，５６Ｂとなる。
【００７２】
第１及び第２ビーム固定板５５，５６は、図２０乃至図２２、図２７乃至図３０及び図３２に示すように、凹円弧面１１、管連結穴５９、第１板固定穴６０、及び第２板固定穴６１を有する。
【００７３】
凹円弧面１１（凹円弧端面）は、図２０乃至図２２、図２７乃至図３２に示すように、第１及び第２ビーム固定板５５，５６（基礎平板部５７）に形成される。
凹円弧面１１は、第１基準直線Ｌ１の方向（上下方向）において、第１及び第２ビーム固定板５５，５６の一方の固定板端５５Ａ，５６Ａ（基礎平板部５７の一方の板部端５７Ａ）に形成される。
第１及び第２ビーム固定板５５，５６において、凹円弧面１１は、図１乃至図１３で説明したと同様に、第１凹円弧面部１１Ａ、及び第２凹円弧面部１１Ｂで構成される。
第１凹円弧面部１１Ａは、第１基準直線Ｌ１に位置する半径中心線Ｌ２（半径中心）を中心として、半径Ｒ１の円弧状に形成される。第２凹円弧面部１１Ｂは、第１凹円弧面部１１Ａに連続して形成される。第２凹円弧面部１１Ｂは、第１凹円弧面部１１Ａの半径中心線Ｌ２と第１及び第２ビーム固定板５５，５６の一方の固定板端５５Ａ，５６Ａ（基礎平板部５７の一方の板部端５７Ａ／固定板上端）の間において、第１基準直線Ｌ１に位置する半径中心（半径中心線）を中心として、半径Ｒ２の円弧状に形成される。
【００７４】
管連結穴５９は、図２０乃至図２２、及び図３０乃至図３２に示すように、第１及び第２ビーム固定板５５，５６に形成される。管連結穴５９は、第１及び第２ビーム固定板５５，５６の同一位置に形成される。
管連結穴５９は、矩形状の穴（長方形穴）に形成される。管連結穴５９は、第１基準直線Ｌ１の方向（上下方向）において、凹円弧面１１と第１及び第２ビーム固定板５５，５６の他方の固定板端５５Ｂ，５６Ｂ（長尺平板部５８の板部端５８Ｂ／固定板下端）の間に配置される。管連結穴５９は、第１基準直線Ｌ１の方向において、基礎平板部５７及び長尺平板部５８にわたって形成される。
管連結穴５９は、第１基準直線Ｌ１の方向（上下方向）に穴長、第１基準直線Ｌ１及び半径中心線Ｌ２と直交する第２基準直線Ｌ２の方向（左右方向）に穴幅を有して形成される。
管連結穴５９は、半径中心線Ｌ２の方向（前後方向）において、第１及び第２ビーム固定板５５，５６（基礎平板部５７及び長尺平板部５８）を貫通して、一方の板表平面５５Ｅ，５６Ｅ及び他方の板裏平面５５Ｆ，５６Ｆに開口される。
【００７５】
第１板固定穴６０は、図２０乃至図２２、及び図３０乃至図３２に示すように、第１及び第２ビーム固定板５５，５６の基礎平板部５７に形成される。第１板固定穴６０は、第１及び第２ビーム固定板５５，５６の同一位置に形成される。
第１板固定穴６０は、矩形状の穴（長方形穴）に形成される。第１板固定穴６０は、第２基準直線Ｌ２の方向（左右方向）において、第１及び第２ビーム固定板５５，５６の一方の固定板端５５Ｃ，５６Ｃ（基礎平板部５７の一方の板部端５７Ｃ／固定板右端）と管連結穴５９の間に配置される。第１板固定穴６０は、図３０に示すように、第２基準直線Ｌ２に鋭角度θ５（０°＜θ５＜９０°）を有する穴直線Ｌ１５の方向に穴長、及び穴直線Ｌ１５を直交する方向に穴幅を有して形成される。
第１板固定穴６０は、半径中心線Ｌ２の方向（前後方向）において、第１及び第２ビーム固定板５５，５６（基礎平板部５７）を貫通して、一方の板表平面５５Ｅ，５６Ｅ及び他方の板裏平面５５Ｆ，５６Ｆに開口される。
【００７６】
第２板固定穴６１は、図２０乃至図２２、及び図３０乃至図３２に示すように、第１及び第２ビーム固定板５５，５６の基礎平板部５７に形成される。第２板固定穴６１は、第１及び第２ビーム固定板５５，５６の同一位置に形成される。
第２板固定穴６１は、矩形状の穴（長方形穴）に形成される。第２板固定穴６１は、第２基準直線Ｌ３の方向（左右方向）において、第１及び第２ビーム固定板５５，５６の他方の固定板端５５Ｄ，５６Ｄ（基礎平板部５７の他方の板部端５７Ｄ／固定板左端）と管連結穴５９の間に配置される。第２板固定穴６１は、第１基準直線Ｌ１の方向（上下方向）に穴長、及び第２基準直線Ｌ３の方向（左右方向）に穴幅を有して形成される。
第２板固定穴６１は、半径中心線Ｌ２の方向（前後方向）において、第１及び第２ビーム固定板５５，５６（基礎平板部５７）を貫通して、一方の板表平面５５Ｅ，５６Ｅ及び他方の板裏平面５５Ｆ，５６Ｆに開口される。
【００７７】
第１ビーム固定板５５は、図２０、図２１、図２３、図２４、図２７、図２８、及び図３０乃至図３２に示すように、板保持穴６２を有する。
板保持穴６２は、第１ビーム固定板５５であって、例えば、長尺平板部５８に形成される。板保持穴６２は、矩形状の穴（長方形穴）に形成される。
板保持穴６２は、第１基準直線Ｌ１の方向（上下方向）において、凹円弧面１１及び第１ビーム固定板５５の他方の固定板端５５Ｂ（杭挿入円筒部材３１）の間に配置される。板保持穴６２は、第１基準線Ｌ１の方向に穴幅、及び第２基準直線Ｌ２の方向に穴長を有して形成される。板保持穴６２は、管連結穴５９と直交して、第２基準直線Ｌ３の方向に延在される。
板保持穴６２は、半径中心線Ｌ２の方向（前後方向）において、第１ビーム固定板５５を貫通して、一方の板表平面５５Ｅ及び他方の板裏平面５５Ｆに開口される。
【００７８】
第１及び第２ビーム固定板５５，５６は、図２０、図２３乃至図２８、図３１及び図３２に示すように、半径中心線Ｌ２の方向（前後方向）に板間隔Ｔを隔てて平行に並列される。
第１及び第２ビーム固定板５５，５６は、図２３乃至図２８、図３１及び図３２に示すように、他方の板裏平面５５Ｆ及び一方の板表平面５６Ｅを対峙（対向）し、各板平面５５Ｆ，５６Ｅに板間隔Ｔを隔てて平行に並列される。
第１及び第２ビーム固定板５５，５６は、凹円弧面１１（基礎平板部５７）を第１基準直線Ｌ１の同一方向（上方向）に向けて配置される。
第１及び第２ビーム固定板５５，５６は、図２１、図２２及び図２７に示すように、第１基準直線Ｌ１に交差する凹円弧面１１（第２凹円弧面部１１Ｂ）の各交点ｑ１，ｑ２を同一位置に配置して並列される。
第１及び第２ビーム固定板５５，５６は、第１基準直線Ｌ１の方向（上下方向）において、各交点ｑ１，ｑ２を同一位置に配置して、半径中心線Ｌ２の方向に並列される。
第１及び第２ビーム固定板５５，５６は、相互の管連結穴５９を対峙（対向）し、相互の第１板固定穴６０を対峙（対向）し、及び相互の第２板固定穴６１を対峙（対向）して並列される。
【００７９】
板連結部材７は、図２０乃至図２４、及び図２６乃至図３２に示すように、第１及び第２ビーム固定板５５，５６の間（板間隔Ｔ）の間に配置される。板連結部材７は、管中心線を第１基準直線Ｌ１の方向（上下方向）に向けて配置される。
板連結部材７は、管外周面から第１及び第２ビーム固定板５５，５６の管連結穴５９に挿入し、及び管外周面を管連結穴１２の穴縁に当接して、第１及び第２ビーム固定板５５，５６に溶接にて固定される。
【００８０】
ネジ軸案内部材８において、ネジ軸案内円板１６（ネジ軸案内部）は、図２０乃至図２２、図２４、図２６及び図２９乃至図３２に示すように、第２基準直線Ｌ３の方向において、第１及び第２ビーム固定板５５，５６の一方の固定板端５５Ｃ，５６Ｃ側であって、基礎平板部５７の一方の板部端５７Ｃ側に配置される。ネジ軸案内円板１６は、第２基準直線Ｌ２の方向（左右方向）において、第１及び第２ビーム固定板５５，５６の一方の固定板端５５Ｃ，５６Ｃ（基礎平板部５７の一方の板部端５７Ｃ）と板連結部材７の間に位置して配置される。
ネジ軸案内円板１６は、板表平面１６Ｅ及び板裏平面１６Ｆを穴直線Ｌ１５に平行して、第１及び第２ビーム固定板５５，５６の間（基礎平板部５７の間／板間隔Ｔ）に配置される。ネジ軸案内円板１６は、一方の板裏平面１６Ｆを、第１基準直線Ｌ１の方向の基礎平板部５７の他方の板部端５７Ｂ（第１及び第２ビーム固定板５５，５６の基礎平板部５７の他方の板部端５７Ｂ）に面一に配置して、第１及び第２ビーム固定板５５，５６の間に配置される。
【００８１】
ネジ軸案内円板１６は、第１及び第２ビーム固定板５５，５６の間（板間隔Ｔ）から、板外周面を第１及び第２ビーム固定板５５，５６の第１板固定穴６０内に挿入し、及び第１板固定穴６０の穴縁に当接して、第１及び第２ビーム固定板５５，５６に溶接にて固定される。
これにより、ネジ軸案内部材８（ネジ軸案内円板１６）は、図２１、図２７及び図３０に示すように、第１及び第２ビーム固定板５５，５６の間において、ネジ軸案内円穴１７の穴中心線Ｌ１６を第１基準直線Ｌ１に鋭角度θ６（０°＜θ６＜９０°、例えば、θ３＝１８°）を隔てて配置される。ネジ軸案内円穴１７は、第１基準直線Ｌ１に鋭角度θ６を隔てる方向にてネジ軸案内円板１６（ネジ軸案内部）を貫通する。
【００８２】
板バネ固定部材９において、板バネ固定円板１８は、図２０乃至図２３、図２６、図２７、及び図２９乃至図３２に示すように、第２基準直線Ｌ２の方向（左右方向）において、第１及び第２ビーム固定板５５，５６の他方の固定板端５５Ｄ，５６Ｄ側であって、基礎平板部５７の他方の板部端５７Ｄ側に配置される。板バネ固定円板１８は、第２基準直線Ｌ３の方向において、第１及び第２ビーム固定板５５，５６の他方の固定板端５５Ｄ，５６Ｄ（基礎平板部５７の他方の板部端５７Ｄ）と板連結部材７の間に位置して配置される。
板バネ固定円板１８は、板中心線Ｌ１７を第２基準直線Ｌ３の方向に向けて（板中心線Ｌ１７を第２基準直線Ｌ２と平行に配置して）、第１及び第２ビーム固定板５５，５６の間（基礎平板部５７の間／板間隔Ｔ）に配置される。
板バネ固定円板１８は、図２９に示すように、板表平面１８Ｅ及び板裏平面１８Ｆを第１基準直線Ｌ１に平行して（各板平面１８Ｅ，１８Ｆを第２基準直線Ｌ２に直交して）、第１及び第２ビーム固定板５５，５６の基礎平板部５７の間（板間隔Ｔ）に配置される。
【００８３】
板バネ固定円板１８は、第１及び第２ビーム固定板５５，５６の間（基礎平板部５７野間）から、板外周面を第１及び第２ビーム固定板５５，５６の第２板固定穴６１に挿入し、及び第１板固定穴６０の穴縁に当接して、第１及び第２ビーム固定板５５，５６（基礎平板部５７）に溶接にて固定される。
これにより、板バネ固定部材９（板バネ固定円板１８）は、図２１、図２９及び図３０に示すように、第１及び第２ビーム固定板５５，５６の間（基礎平板部５７の間）において、固定ネジ円穴１９の穴中心線Ｌ１７を第２基準直線Ｌ２の方向に向けて配置される（穴中心線Ｌ１７を第２基準直線Ｌ２に平行に配置される）。固定ネジ円穴１９は、第２基準直線Ｌ３の方向において、板バネ固定円板１８（板バネ固定部）を貫通する。
【００８４】
板バネ体５２は、図１乃至図１３で説明した同様に、板バネ２１、ビーム締付ネジ軸２２及びビーム締付ナット２３を備える。
【００８５】
板バネ２１は、図２０乃至図２９、及び図３２に示すように、板内側面２１Ｂを第１及び第２ビーム固定板５５，５６の凹円弧面１１（第１凹円弧面部１１Ａ）に連続して配置され、第１及び第２ビーム固定板５５，５６の凹円弧面１１の間に、半径中心線Ｌ２の方向に開口して、ビーム８５を挿入する略円形のビーム挿入穴２６を形成する。
【００８６】
板バネ２１は、図２３乃至図２５、図２７及び図２８に示すように、半径中心線Ｌ２の方向において、第１及び第２ビーム固定板５５，５６（基礎平板部５７）に間隔を隔てて、第１及び第２ビーム固定板５５，５６の間（基礎平板部５７の間／板間隔Ｔ）の間に配置される。
【００８７】
板バネ２１は、第２基準直線Ｌ３の方向において、一方の板バネ端２１Ｃ側を、第１及び第２ビーム固定板５５，５６の他方の固定板端５５Ｄ，５６側であって、基礎平板部５７の一方の板部端５７Ｄ側に位置して配置される。板バネ２１は、一方の板バネ端２１Ｃ側を、第１及び第２ビーム固定板５５，５６の他方の固定板端５５Ｄ，５６Ｄ（基礎平板部５７の他方の板部端５７Ｄ）及び板バネ固定部材９（板バネ固定円板１８）の間に位置して、第１及び第２ビーム固定板５５，５６の間（基礎平板部５７の間／板間隔Ｔ）に配置される。
板バネ２１において、一方の板バネ端２１Ｃ側は、図２９に示すように、ボルト円穴２５を板バネ固定円板１８の固定ネジ円穴１９に対峙（対向）して、第１及び第２ビーム固定板５５，５６の間に配置される。
一方の板バネ端２１Ｃ側は、板バネ固定ボルトネジ１０にて金具本体５１に固定される。板バネ固定ボルトネジ１０は、ボルトネジ軸１０Ａを板バネ２１のボルト円穴２５に貫通（挿通）し、板バネ固定部材９（板バネ固定円板１８）の固定ネジ円穴１９に螺着して配置される。板バネ固定ボルトネジ１０は、ボルト頭部１０Ｂを板バネ２１の板外側面２１Ａに当接して配置される。
板バネ２１において、一方の板バネ端２１Ｃ側は、板バネ固定ボルトネジ１０を回転し、板バネ固定部材９（板バネ固定円板１８）の固定ネジ円穴１９に螺入することで、板内側面２１Ｂを板バネ固定円板１８の板裏平面１８Ｆに当接して、板バネ固定円板１８に固定される。
これにより、板バネ２１は、板バネ固定円板１８（板バネ固定部材９）を介在して第１及び第２ビーム固定板５５，５６に固定される。
【００８８】
板バネ２１は、第２基準直線Ｌ３の方向において、他方の板バネ端２１Ｄを、第１及び第２ビーム固定板５５，５６側であって、基礎平板部５７の一方の板部端５７Ｃ側に位置して、第１及び第２ビーム固定板５５，５６の間（基礎平板部５７の間）に配置される。他方の板バネ端２１Ｄは、図２９に示すように、第１基準直線Ｌ１の方向において、ネジ軸案内円板１６（ネジ軸案内部）に締付隙間δ１を隔てて、ネジ軸案内円板１６（ネジ軸案内部材８）の上方に配置される。
これにより、板バネ２１は、他方の板バネ端２１Ｄ及びネジ軸案内円板１６の間に締付隙間δ１を隔てて配置される。
【００８９】
ビーム締付ネジ軸２２は、図２０、図２４、図２９及び図３２に示すように、板バネ２１の板幅中心線Ｌ８の方向において、板バネ２１の他方の板バネ端２１Ｄ側に配置される。
ビーム締付ネジ軸２２は、ネジ軸中心線Ｌ９を板幅中心線Ｌ８に位置（一致）して、板バネ２１の板外側面２１Ａに当接される。ビーム締付ネジ軸２２は、板バネ２１の他方の板バネ端２１Ｄ側において、板外側面２１Ａに固定される。
ビーム締付ネジ軸２２は、板バネ２１の板幅中心線Ｌ８の方向において、他方の板バネ端２１Ｄから突出して延在される。
【００９０】
ビーム締付ネジ軸２２は、図２０乃至図２２、図２４、図２６、図２９及び図３２に示すように、第２基準直線Ｌ３の方向において、第１及び第２ビーム固定板５５，５６の一方の固定板端５５Ｃ，５５Ｄ側であって、基礎平板部５７の一方の板部端５７Ｃ側に配置される。ビーム締付ネジ軸２２は、第１及び第２ビーム固定板５５，５６の間（基礎平板部５７の間／板間隔Ｔ）に配置される。
ビーム締付ネジ軸２２は、第１及び第２ビーム固定板５５，５６の間（基礎平板部５７の間／板間隔Ｔ）から、ネジ軸案内円板１６（ネジ軸案内部）のネジ軸案内円穴１７を貫通（挿通）して、第１及び第２ビーム固定板５５，５６の間であって、基礎平板部５７の間から突出される。
これにより、板バネ体２において、板バネ２１は、図２０乃至図２２、及び図２９に示すように、第１及び第２ビーム固定板５５，５６の凹円弧面１１（第１及び第２凹円弧面部１１Ａ，１１Ｂ）の間に、半径中止線Ｌ２の方向に開口して、ビーム８５を挿入する略円形のビーム挿入穴２６を形成する。
【００９１】
ビーム締付ナット２３は、図２１、図２２、図２４、図２６及び図２９に示すように、第１及び第２ビーム固定板５５，５６（基礎平板部５７）に隙間を隔てて、第１及び第２ビーム固定板５５，５６の間（基礎平板部５７の間／板間隔Ｔ）に配置される。ビーム締付ナット２３は、第１及び第２ビーム固定板５５，５６の外側に配置される。
ビーム締付ナット２３は、第１及び第２ビーム固定板５５，５６の間（基礎平板部５７の間）から突出されたビーム締付ネジ軸２２に螺着される。ビーム締付ナット２３は、ネジ軸案内円板１６（板裏平面１６Ｆ）に当接して配置される。
【００９２】
杭固定体３は、図１乃至図１３で説明したと同様に、杭挿入円筒部材３１、スリット穴３２、第１及び第２杭固定突起部３３，３４、杭締付円穴３５、杭締付ネジ円穴３６、及び杭締付ボルトネジ３７を備える。
【００９３】
杭挿入円筒部材３１は、図２０．図２１、図２３、図２４、図２６乃至図２８、及び図３０乃至図３２に示すように、半径中心線Ｌ２の方向（前後方向）において、第２ビーム固定板５６の間に第１ビーム固定板５５を位置して配置される。杭挿入円筒部材３１は、第１基準直線Ｌ１の方向（前後方向）において、第１ビーム固定板５５の他方の固定板端５５Ｂ側であって、長尺平板部５８の板部端５８Ｂ側に配置される。
杭挿入円筒部材３１は、筒中心線Ｌ１０を第１基準直線Ｌ１の方向（上下方向）に向けて配置される。杭挿入円筒部材３１は、筒中心線Ｌ１０を第１基準直線Ｌ１に位置（一致）して配置される。
杭挿入円筒部材３１は、筒外周面３１Ｃを管連結穴１２内の板連結部材７の筒外周面に当接して、筒外周面３１Ｃ第１ビーム固定板５（長尺平板部５８）に溶接して固定される。
【００９４】
第１及び第２ビーム固定板５５，５６は、図２７及び図３０に示すように、第１基準直線Ｌ１の方向（上下方向）において、第１及び第２ビーム固定板５５，５６の交点ｑ１，ｑ２（第２凹円弧面部１１Ｂ及び第１基準直線Ｌの交点）、及び凹円弧面１１側の杭挿入円筒部材３１の筒端３１Ａの間に板長ＬＹ（板長さ）を有する。
第１及び第２ビーム固定板５５，５６の板長ＬＹ（板長さ）は、支柱杭８０の杭長ＬＮ（杭長さ）より長い板長にされる（図１９参照）。
【００９５】
杭固定板５３は、金属平板で半円形に形成される。杭固定板５３は、例えば、鉄平板（鉄板）、鋼平板（鋼板）で半円形に形成される。
杭固定板５３は、図２０、図３１及び図３２に示すように、角を円弧状に面取りしたＲ面取部５２Ａを有して、半円形平板に形成される。
【００９６】
杭固定板５３は、図２０、図２１、図２３乃至図２８、及び図３０乃至図３２に示すように、半径中心線Ｌ２の方向（前後方向）において、第２ビーム固定板５６の間に第１ビーム固定板５５を位置して配置される。杭固定板５３は、第１基準直線Ｌ１の方向において、第１ビーム固定板５５の凹円弧面１１（第２凹円弧面部１１Ｂ）、及び凹円弧面１１側の杭挿入円筒部材３１の筒端３１Ａの間に配置される。
杭固定板５３及び板保持穴６２は、図２３、図２７及び図３０に示すように、第１基準直線Ｌ１の方向（上下方向）において、凹円弧面１１側の杭挿入円筒部材３１の筒端３１Ａに杭固定間隔ＴＦを隔てて配置され、杭固定板５３は、杭挿入円筒部材３１の筒端３１Ａに対向配置される。杭固定間隔ＴＦは、図１９に示すように、支柱杭８０の杭長ＬＮとり短くされる。
【００９７】
杭固定板５３は、第１ビーム固定板５５の一方の板表平面５５Ｅから板保持穴６２に挿入されて、第１ビーム固定板５５に固定される。杭固定板５３は、各板平面５３Ｅ，５３Ｆを半径中心線Ｌ２の方向（前後方向）に平行に配置して、第１ビーム固定板５５に固定される。
杭固定板５３は、第１ビーム固定板５５の板表平面５５Ｅから、杭挿入円筒部材３１側に突出されて、各板平面５２Ｅ，５２Ｆを杭挿入円筒部材３１の筒端３１Ａに平行に配置して、杭挿入円筒部材３１の上方向に配置される。
【００９８】
杭固定板５３は、杭挿入穴７１を有する。杭挿入穴７１は、杭固定板５３に形成される。杭挿入穴７１は、穴直径ｄｘを有する円形穴に形成される。
杭挿入穴７１は、図２８に示すように、杭挿入円筒部材３１の筒中心線Ｌ１０と同心に配置される。杭挿入穴７１は、第１基準直線Ｌ１の方向（上下方向）において、杭固定板５３を貫通して、各板平面５２Ｅ，５２Ｆに開口される。
【００９９】
杭挿入穴７１の穴直径ｄｘは、図１９に示すように、支柱杭８０の杭中心線ＬＫ（杭筒中心線ＬＫ）において、円筒杭部８１の他方の杭筒端８１Ｂから杭固定間隔ＴＦを隔てる位置の円錐筒杭部８３の杭直径ＤＥと同一の直径にされている。
【０１００】
図３３乃至図３８において、ビーム固定金具Ｙは、例えば、土留柵Ｚ１に使用（適用）される。
なお、図３３乃至図３８において、図１乃至図１９と同一符号は、同一部材、同一構成であるので、その詳細な説明は省略する。
【０１０１】
図３３乃至図３８において、土留柵Ｚ１は、例えば、図１４乃至図１９で説明したと同様に、複数の支柱杭８０を杭間隔ＴＫを隔てて配置して、各支柱杭８０を尖端部８２から地中に打込んで支柱杭８０を地面に立設し、各支柱杭８０の間に４本（４段）の丸太ビーム８５（ビーム）を横架して、各支柱杭８０に複数段（例えば、４段）配置したビーム固定金具Ｘ（第１実施形態のビーム固定金具Ｘ）にて、各丸太ビーム８５を支柱杭８０に固定して構成される。
また、土留柵Ｚ１は、図３３乃至図３８に示すように、丸太ビーム８５（ビーム）を各支柱杭８０の他方の杭端８０Ｂの上方にて各支柱杭８０の間に横架して、複数のビーム固定金具Ｙにて丸太ビーム８５を各支柱杭８０に固定して構成される。
土留柵Ｚ１は、図３３乃至図３５に示すように、複数本の支柱杭８０、複数のビーム固定金具Ｘ（第１実施形態）、複数のビーム固定金具Ｙ（第２実施形態）、及び複数本のビーム８５（例えば、丸太ビーム８５）で構成される。
【０１０２】
各ビーム固定金具Ｙ（第２実施形態）は、図３３乃至図３８に示すように、各支柱杭８０に１個配置される。
各ビーム固定金具Ｙは、図３３乃至図３７に示すように、各支柱杭８０において、各ビーム固定金具Ｘより他方の杭端８０Ｂ側に配置される。
ビーム固定金具Ｙは、図３６及び図３８に示すように、各支柱杭８０の他方の杭端８０Ｂから杭挿入円筒部材３１を支柱杭８０に外嵌し、及び支柱杭８０の他方の杭端８０Ｂから杭固定板５３の杭挿入穴７１を支柱杭８０に外嵌して配置される。
各ビーム固定金具Ｙは、図３３及び図３４に示すように、半径中心線Ｌ２を、各ビーム固定金具Ｘで各支柱杭８０に固定した丸太ビーム８５の丸太中心線ＬＭの方向に位置（一致）して、各支柱杭８０に配置される。
これにより、各ビーム固定金具Ｙにおいて、ビーム挿入穴２６は、丸太ビーム８５の横架した方向に向けられる。
【０１０３】
各支柱杭８０において、ビーム固定金具Ｙの杭挿入円筒部材３１は、図３６及び図３８に示すように、他方の筒端３１Ｂから支柱杭８０に外嵌されて、円筒杭部８１に配置される。杭挿入円筒部材３１は、筒内周面３１Ｄを円筒杭部８１（支柱杭８０）の杭外周面８１Ｃに当接して配置される。
これにより、各ビーム固定金具Ｙは、各段のビーム固定金具Ｘより上方において、杭挿入円筒部材３１を支柱杭８０の円筒杭部８１に外嵌して配置される。
【０１０４】
各支柱杭８０において、各ビーム固定金具Ｙの杭固定板５３は、図３６及び３８に示すように、一方の板平面５３Ｆから支柱杭８０に外嵌されて、円錐筒杭部８３に配置される。
各ビーム固定金具Ｙにおいて、杭固定板５３は、図３８に示すように、杭挿入円筒部材３１を円筒杭部８１に配置すると、杭挿入穴７１の穴縁を円錐筒杭部８３の杭外周面８３Ｃに圧接して配置される。
各ビーム固定金具Ｙは、図２７及び図２８に示すように、杭固定板５３及び杭挿入円筒部材３１の筒端３１Ａの間を杭固定間隔ＴＦ（ＴＦ＜ＬＮ）とし、杭挿入穴７１の穴直径ｄｘを円錐筒杭部８３の杭直径ＤＥと同一直径にしているので、杭固定板５３を円錐筒杭部８３の杭外周面８３Ｃに圧接できる。
これにより、各ビーム固定金具Ｙにおいて、杭挿入円筒部材３１は、杭固定板５３の杭挿入穴７１の穴縁と、支柱杭８０の円錐筒杭部８３の杭外周面８３Ｃとの圧接（摩擦抵抗）によって、支柱杭８０に対して回転することなく、支柱杭８０の円筒杭部８１に固定される。
【０１０５】
各支柱杭８０において、各ビーム固定金具Ｙは、杭締付ボルトネジ３７を第１及び第２杭固定突起部３３，３４に向けて回転して、杭挿入円筒部材３１を各支柱杭８０の円筒杭部８１に締付けることで、各支柱杭８０（円筒杭部８１）に固定される。
これにより、各ビーム固定金具Ｙにおいて、杭挿入円筒部材３１は、支柱杭８０（円筒杭部８１）に固定される。
【０１０６】
各ビーム固定金具Ｙにおいて、板長ＬＹは、図３０及び図１９に示すように、杭長ＬＮより長い板長さとしている。
これにより、各ビーム固定金具Ｙは、図３３乃至図３８に示すように、各ビーム挿入穴２６（第１及び第２ビーム固定板５５，５６の凹円弧面１１及び板バネ２１の間）を各支柱杭８０の他方の杭端８０Ｂより上方に配置して、各支柱杭８０（円筒杭部８１）に固定される。
【０１０７】
丸太ビーム８５は、図３３乃至図３７に示すように、各支柱杭８０のビーム固定金具Ｙのビーム挿入穴２６（凹円弧面１１及び板バネ２１の間）に挿通（貫通）されて、各ビーム固定金具Ｙに支持される。
丸太ビーム８５の外周面８５Ａは、図３７に示すように、各ビーム固定金具Ｙの板バネ２１の板内側面２１Ｂ、第１及び第２ビーム固定板５５，５６の凹円弧面１１（第１凹円弧面部１１Ａ）に当接される。
【０１０８】
各ビーム固定金具Ｙは、ビーム挿入穴２６に丸太ビーム８５を挿入（貫通）すると、ビーム締付ナット２３をネジ軸案内円板１６に向けて回転することで、板バネ２１をネジ軸案内円板１６（ネジ軸案内部）に向けて移動する。
板バネ２１は、ネジ軸案内円板１６（ネジ軸案内部）への移動によって、弾性変形して、丸太ビーム８５を第１及び第２ビーム固定板５５，５６の凹円弧面１１（第１及び第２凹円弧面部１１Ａ，１１Ｂ）に押付ける。
これにより、各ビーム固定金具Ｙは、各支柱杭８０の間に横架された丸太ビーム８５を各支柱杭８０（円筒杭部８１）に固定する。
【０１０９】
各ビーム固定金具Ｙによって、各支柱杭８０に固定された丸太ビーム８５は、図３３乃至図３８に示すように、各支柱杭８０の他方の杭端８０Ｂの上方に配置され、及び各支柱杭８０の間に横架される。
これにより、人（作業者）が、各支柱杭８０の他方に杭端８０Ｂに接触することを防止できる。
【０１１０】
第１及び第２実施形態のビーム固定金具Ｘ，Ｙは、土留柵Ｚ，Ｚ１に使用（適用）するものに限定されず、如何なる柵に使用しても良い。
【産業上の利用可能性】
【０１１１】
本考案は、柵の各支柱杭の間に横架された丸太等のビームを支柱杭に固定するのに最適である。
【符号の説明】
【０１１２】
Ｘ  ビーム固定金具
５  第１ビーム固定板
６  第２ビーム固定板
８  ネジ軸案内部材
１１  凹円弧面
１６  ネジ軸案内円板（ネジ軸案内部）
１７  ネジ軸案内円穴（ネジ軸案内穴）
２１  板バネ
２２  ビーム締付ネジ軸
２３  ビーム締付ナット
３１  杭挿入円筒部材
【図１】
0003218925.tif 000003
【図２】
0003218925.tif 000004
【図３】
0003218925.tif 000005
【図４】
0003218925.tif 000006
【図５】
0003218925.tif 000007
【図６】
0003218925.tif 000008
【図７】
0003218925.tif 000009
【図８】
0003218925.tif 000010
【図９】
0003218925.tif 000011
【図１０】
0003218925.tif 000012
【図１１】
0003218925.tif 000013
【図１２】
0003218925.tif 000014
【図１３】
0003218925.tif 000015
【図１４】
0003218925.tif 000016
【図１５】
0003218925.tif 000017
【図１６】
0003218925.tif 000018
【図１７】
0003218925.tif 000019
【図１８】
0003218925.tif 000020
【図１９】
0003218925.tif 000021
【図２０】
0003218925.tif 000022
【図２１】
0003218925.tif 000023
【図２２】
0003218925.tif 000024
【図２３】
0003218925.tif 000025
【図２４】
0003218925.tif 000026
【図２５】
0003218925.tif 000027
【図２６】
0003218925.tif 000028
【図２７】
0003218925.tif 000029
【図２８】
0003218925.tif 000030
【図２９】
0003218925.tif 000031
【図３０】
0003218925.tif 000032
【図３１】
0003218925.tif 000033
【図３２】
0003218925.tif 000034
【図３３】
0003218925.tif 000035
【図３４】
0003218925.tif 000036
【図３５】
0003218925.tif 000037
【図３６】
0003218925.tif 000038
【図３７】
0003218925.tif 000039
【図３８】
0003218925.tif 000040